(57)【要約】【課題】床暖房用ヒーターパネルの公差に基づく寸法誤差に応じて、給電用導体の一部を給電用導体の長さ方向にフレキシブルに改善し、給電用導体の全長の長さを伸縮させることができることである。【解決手段】床暖房用ヒーターパネル１０は、複数の帯状金属箔２を所定の間隔をおいて略平行に配置し、これら帯状金属箔２の上下両面より絶縁性の合成樹脂フィルム３を被覆した温熱発生体１を上面に備える床暖房用パネルヒータ１０であって、この床暖房用ヒーターパネル１０の端縁部に、両端に接続用の凹凸コネクタ４Ａ、４Ｂを有する給電用導体４を設け、この給電用導体４の全長をその長さ方向に伸縮可能としたことを特徴とする。【選択図】図１０
2004108737.tif 000002
【特許請求の範囲】
【請求項１】
帯状金属箔を所定の形体に配置し、これら帯状金属箔の上下両面より絶縁性の合成樹脂フィルムを被覆した温熱発生体を上面に備える床暖房用ヒーターパネルであって、この床暖房用ヒーターパネルの端縁部に、両端に接続用の凹凸コネクタを有する給電用導体を設け、この給電用導体の全長をその長さ方向に伸縮可能としたことを特徴とする床暖房用ヒーターパネル。
【請求項２】
給電用導体に屈曲部を形成し、この屈曲部が床暖房用ヒーターパネルの基部に設けた凹部内に収納されている請求項１に記載された床暖房用ヒーターパネル。
【請求項３】
床暖房用ヒーターパネルの基部に設けた凹部の断面形がＶ字状である請求項２に記載された床暖房用ヒーターパネル。
【発明の詳細な説明】
【０００１】
【発明の属する技術分野】
本発明は、住宅の床暖房機器、屋上融雪装置、フロアマット等の用途に利用できる温熱発生体からなる床暖房用ヒーターパネルについて、その上面に備える温熱発生体に電気を伝える導電部材を端縁部に有するものに関する。
【０００２】
【従来の技術】
従来、複数の帯状金属箔を所定の間隔をおいて略平行に配置し、これらの帯状金属箔の上下両面より絶縁性の合成樹脂フィルムを被覆してなる温熱発熱体が上面に設けられた床暖房用ヒーターパネルが汎用されている。
【０００３】
前記帯状金属箔は、かつてはカーボン粒子を均一化するのが困難であったり、また剛性等の点に対処するため、導電材として使用されてきたカーボングラフトポリマー等のカーボン粒子に代え、帯状金属箔を導電材として使用したものである（特許文献１参照。）。
【０００４】
従来の床暖房用ヒーターパネルでは、予め、その端縁に沿って、両端に接続用の凹凸コネクターを有する導電部材が設けられている。この床暖房用ヒーターパネルにおける凹凸コネクタは、その複数枚を設置する床面の大きさに応じて接続して使用できるようにするためである。この凹凸コネクタの両端間の全長は所定の寸法で固定されている。
【０００５】
【特許文献１】
【特開２００２−１４１１６１号公報】
【０００６】
【発明が解決しようとする課題】
対象となる床暖房用ヒーターパネルは、所定の公差をもって製作されているので、これに固定されている給電用導体には、これにも所定の公差が生じているため、全長の寸法には誤差が生じている。従来、この床暖房用ヒーターパネルの公差をマイナスに取り、給電用導体の全長より短く製作し、床暖房用ヒーターパネルの間に隙間を故意に作り込んで、これにより誤差の調整が行われていた。
【０００７】
しかし、前記した従来の方法では、凹凸コネクタの差し込み状態に隙間を作る可能性があるため、複数の床暖房用ヒーターパネル間の間隔が開いて、その凹凸コネクタに接続時の電気伝導性が低下して、通電状態が不均一となることも考えられ、さらなる改良が望まれていた。
【０００８】
そこで、本発明では、床暖房用ヒーターパネルの公差に基づく寸法誤差に応じて、給電用導体の一部を給電用導体の長さ方向にフレキシブルに改善し、給電用導体の全長の長さを伸縮させることができることを目的とした。
【０００９】
【課題を解決するための手段】
上記した目的を達成するため、本発明の床暖房用ヒーターパネルは、帯状金属箔を所定の形体に配置し、これら帯状金属箔の上下両面より絶縁性の合成樹脂フィルムを被覆した温熱発生体を上面に備える床暖房用ヒーターパネルであって、この床暖房用ヒーターパネルの端縁部に、両端に接続用の凹凸コネクタを有する給電用導体を設け、この給電用導体の全長をその長さ方向に伸縮可能としたことを特徴とする。
【００１０】
本発明の床暖房用ヒーターパネルでは、その端縁部に、両端に接続用の凹凸コネクタを有する給電用導体を設け、この給電用導体を長さ方向に伸縮可能としたことから、給電用導体の全長をその長さ方向に沿って伸縮性を与えることができる。この床暖房用ヒーターパネルにおける寸法誤差により、給電用導体における凹凸コネクタの接続部が開いたり、凹凸コネクタの差し込み状態に隙間を作る可能性がある。このように凹凸コネクタ間に開きや隙間が生じて、床暖房用ヒーターパネル間に接続不良等が生じる。
【００１１】
本発明によれば、このような複数の床暖房用ヒーターパネル間の接続不良に対し、複数の床暖房用ヒーターパネル間における凹凸コネクタの接続部の開きによる、接続不良等の欠点を解消することができる。床暖房用ヒーターパネルの寸法誤差にならって、その給電用導体の全長が変化すれば、その変化量に合わせて作成時の公差に余裕をもって対処できる。
【００１２】
本発明の床暖房用ヒーターパネルは、温熱発生体と給電用導体とが下層部に合成樹脂発泡体等からなるクッション性を有する断熱材の基材面上に設けられる。
この床暖房用ヒーターパネルの給電用導体における伸縮は、例えば、床暖房用ヒーターパネルの基部にＶ字状凹部を形成し、このＶ字状凹部に給電用導体の部分に屈曲部を設けて収納することによって得ることができる。すなわち、給電用導体の部分は、Ｖ字状凹部内で屈曲して収納されるため、必要に応じて手作業により自在に伸縮変形することが可能である。このＶ字状凹部は、単数のほか、複数設けられていてもよい。Ｖ字状凹部が複数設けられる場合、各Ｖ字状凹部内に給電用導体が屈曲して設けられる。これにより、給電用導体の全長をその長さ方向にフレキシブルに伸縮させることができる。
【００１３】
なお、本発明の床暖房用ヒーターパネルは、その面上に、従来同様に回復性あるいは非回復性のヒューズ等で構成される安全器が設けられている。この安全器は、温熱発生体の帯状金属箔と短絡的に接続され、温熱発生体における電気回路を継続的にあるいは非継続的に遮断することができる。これにより、温熱発生体について安全を確保することができる。
【００１４】
【発明の実施の形態】
本発明の床暖房用ヒーターパネルの実施の形態を図に基づいて説明する。図１に示すように、床暖房用ヒーターパネル１０は、その温熱発生体１と給電用導体４の上下面が絶縁性樹脂３で被覆されている。温熱発生体１は、複数の帯状金属箔２を所定の間隔をおいて略平行に配置し、その上下面に絶縁性樹脂３が被覆されている。温熱発生体１の端縁部に給電用導体４が設けられ、給電用導体４の両端には凹凸コネクタ４Ａ、４Ｂを有している。また、１０ａは、温熱発生体１の上面に接着されている均熱用のアルミニウム箔材である。
【００１５】
図２及び図３に示すように、凹凸コネクタ４Ａは雌型コネクタであり、その外周部がコネクタ部材５ａ及び５ｂによって形成されている。コネクタ部材５ａ、５ｂにはその内面に複数の凹溝５ｃを対向しており、各凹溝５ｃの内部には、挟持電極６（＝６ａ〜６ｃ）がそれぞれ配されている。各挟持電極６の上下面はそれぞれ絶縁性樹脂８で被覆されている。
【００１６】
挟持電極６ａ〜６ｃの片面側はスプリング材６ｄで押圧されている。これらの挟持電極６の一端はコネクタ部材５ａ、５ｂの開口部５ｄと対面している。この開口部５ｄは雄型コネクタ４Ｂの接続爪９を挿入できるように開口し、また、コネクタ部材５ａ、５ｂの他端には導体７ａ〜７ｃがそれぞれ接続されている。導体７ａ〜７ｃは銅材等の電気伝導性の高い金属材を帯状に形成したものである。
この給電導体７ａ〜７ｃの厚みは０．２５ｍｍ、幅は８ｍｍであるが、給電導体７ａ〜７ｃとしては、厚み０．２〜０．５ｍｍ、幅１〜２０ｍｍの範囲で好ましく使用できる。温熱発生体１における帯状金属箔２及び給電用導体４の導体７ａ〜７ｃが帯状であるのは、温熱発生体１の面上での剛性を確保するためである。
【００１７】
図４〜６に示すように、凹凸コネクタ４Ｂは雄型コネクタである。雄型コネクタ４Ｂは、コネクタ部材で挟持された状態で形成されている。その一端から各接続爪９ａ〜９ｃがそれぞれ外方へ突設されている。各接続爪９ａ〜９ｃの他端には前記した導体７ａ〜７ｃと接続されている。導体７ａ及び７ｂは給電導体であり、７ｃはアース用導体である。導体７ａ及び７ｂは前記した帯状金属箔２と溶接により接続されている。この帯状金属箔２の厚みは２０〜１５０μｍであり、幅は１〜２０ｍｍである。
【００１８】
アース用導体７ｃには引出し線（図示はしていない。）が接続され、床暖房用ヒーターパネル１０における温熱発生体１の下面側に配置されている。導体７ｃの引出し線は温熱発生体１の表面に設けられているアルミニウム箔材１２の面と接触しており、導体７ａ、７ｂからの電流回路をアースしている。
【００１９】
複数の床暖房用ヒーターパネル１０は設置される床面の大きさに合わせて設置される。すなわち、図７に示すように、複数の床暖房用ヒーターパネル１０を設置する場合、その隣接する端縁部の給電用導体４における凹凸コネクタ４Ａと４Ｂとが接続される。各床暖房用ヒーターパネル１０が正常な状態で接続されるときを図８に示した。しかし、床暖房用ヒーターパネル１０に寸法誤差があると、図９に示すように、凹凸コネクタ４Ａ、４Ｂの間に開き４ｅが生じる。このような凹凸コネクタ４Ａ、４Ｂの間における開き４ｅは、凹凸コネクタ４Ａ、４Ｂの間の接続状態を低下させてしまう。この場合、各床暖房用ヒーターパネル１０での給電状態を悪くし、また、温熱発生体１において発生する温熱が不均一となる。
【００２０】
床暖房用ヒーターパネル１０の端縁部１０ｂには、図１０に示すように、その下層にクッション性を有する基部１１を有している。その基部１１には、その端縁の給電用導体４に沿って、基部１１に複数のＶ字状凹部１２が設けられている。これらのＶ字状凹部１２の内部には、対応する導体７ａ〜７ｃの各屈曲部７ｄがＶ字状凹部１２の内部にそれぞれ収納されている。これらの屈曲部７ｄで、それぞれ導体７ａ〜７ｃがその長さ方向にそれぞれ調整される。これらの導体７ａ〜７ｃに対する調整作業は手動的に行うことができる。
【００２１】
すなわち、床暖房用ヒーターパネル１０に公差に基づく寸法誤差がある場合には、隣接する床暖房用ヒーターパネル１０の給電用導体４の雌型コネクタ４Ａと雄型コネクタ４Ｂとの間に開き４ｅが生じる。このような開き４ｅに対して、導体７ａ〜７ｃを屈曲部７ｄで変形して、導体７ａ〜７ｃの全長をその長さ方向に沿って伸縮させることができる。この伸縮できる距離は、床暖房用ヒーターパネル１０の寸法誤差に応じて１〜２ｍｍの極く僅かな寸法の変化を与えるものである。
【００２２】
図１１に示すように、導体７ａ〜７ｃの屈曲部７ｄの距離Ａ１　とＶ字状凹部１２の深さＢ１　である場合、Ｖ字状凹部１２のＶ字形が正常な設計値であるとすれば、導体７ａ〜７ｃに対する伸縮する向きへ屈曲部７ｄの間の距離が小さくなるように変形する。また、各導体７ａ〜７ｃを圧縮する向きへ変形したときには、図１２に示すように、屈曲部７ｄにおける距離が正常値Ａ１　より短い距離Ａ２　となり、Ｖ字状凹部１２の深さがＢ２　となる。また、導体７ａ〜７ｃを拡張する向きへ変形したときは、図１３に示すように、屈曲部７ｄの距離が正常値Ａ１　より長い距離Ａ３　となり、また深さは小さくなって深さＢ３　となる。
【００２３】
前記した正常な設計値としては、距離Ａ１　が約６ｃｍ、深さＢ１　が約４．９ｃｍであり、また、Ｖ字状凹部１４におけるＶ字の屈曲角度は６０°の角度であることが好ましい。この設計値に対して、基部１１において、導体７ａ〜７ｃの屈曲部７ｄの距離を縮めたときに、距離Ａ２　が約４ｃｍ、深さＢ２　が約５．７ｃｍとなるようにしておくことが好ましい。この場合、導体７ａ〜７ｃに加わる張力作用が緩和することができるからである。
【００２４】
給電用導体４を通じて供給される電力は、温熱発生体１における帯状金属箔２に通じる。この結果、各床暖房用ヒーターパネル１０の温熱発生体１に床暖房用の温熱が均一に発生する。
【００２５】
このように床暖房用ヒーターパネル１０は、その複数を対象とする建物内の床面の大きさに合わせて設置できる。この場合、各床暖房用ヒーターパネル１０の給電用導体４で接続することにより、給電用導体４から電力の供給を受けて暖房用の温熱を温熱発生体１の帯状金属箔２に発生させることができる。したがって、床暖房用ヒーターパネル１０の面上には、居住者は温熱発生体１から温熱作用を受けることができる。また、給電用導体４は、Ｖ字状凹部１２で導体７ａ〜７ｃの一部がその長さ方向に伸縮できるように設けられているので、床暖房ヒーターパネル１０の寸法誤差に基づく接続部の開き等の障害を解消できると共に、給電用導体４では、Ｖ字状凹部１２が基部１１に部分的に形成されているだけであるので、床暖房用ヒーターパネル１０の面上での居住者の歩行に障害を与えることもなく利用することができる。
【００２６】
【発明の効果】
上述したように本発明は構成されるので、次のような効果が発揮される。本発明の床暖房用ヒーターパネルによれば、その端縁部に有する給電用導体の凹凸コネクタを差し込んで接続して給電することができるから、容易に電力の供給を受けることができる。また、給電用導体は、その長さ方向に沿って伸縮することができるから、複数の床暖房ヒーターパネルを床面に設置した場合に、各床暖房ヒーターパネルの公差に基づく寸法誤差にも容易に対処することができる。
【００２７】
本発明の床暖房ヒーターパネルの給電用導体における伸縮構成は、給電用導体に屈曲部を設け、この屈曲部を基材に設けたＶ字状凹部に収納することにより、容易かつ簡単に設けることができる。この伸縮構成によれば、給電用導体における各導体の屈曲部を手作業により容易に実行することができると共に、床暖房ヒーターパネルの面上における歩行等に支障が生じることもない。
【図面の簡単な説明】
【図１】本発明の床暖房ヒーターパネルの部分平面図である。
【図２】本発明の床暖房ヒーターパネルにおける給電用導体の凹凸コネクタの雌コネクタ部分を説明する分解斜視図である。
【図３】本発明の床暖房ヒーターパネルにおける給電用導体の凹凸コネクタの雌コネクタ部分を説明する縦断面図である。
【図４】本発明の床暖房ヒーターパネルにおける給電用導体の凹凸コネクタの雄コネクタ部分を説明する平面図である。
【図５】本発明の床暖房ヒーターパネルにおける給電用導体の凹凸コネクタの雌コネクタ部分を説明する正面図である。
【図６】本発明の床暖房ヒーターパネルにおける給電用導体の凹凸コネクタの雌コネクタ部分を説明する側面図である。
【図７】本発明の床暖房ヒーターパネルを建物の床面に複数設置する場合を説明する斜視図である。
【図８】本発明の床暖房ヒーターパネルを建物の床面に正常に複数設置した場合を説明する斜視図である。
【図９】本発明の床暖房ヒーターパネルの複数を建物の床面に複数設置した場合において、それらの給電用導体の凹凸コネクタの間に開きが生じた状態を説明する斜視図である。
【図１０】本発明の床暖房ヒーターパネルを建物の床面に複数設置する場合における給電用導体の各凹凸コンテナ間の接続状態を説明する正面図である。
【図１１】本発明の床暖房ヒーターパネルにおけるＶ字状凹部内での給電用導体の導体の収納状態を説明する断面図である。
【図１２】本発明の床暖房ヒーターパネルにおけるＶ字状凹部内での給電用導体の導体の収納状態を説明する断面図である。
【図１３】本発明の床暖房ヒーターパネルにおけるＶ字状凹部内での給電用導体の導体の収納状態を説明する断面図である。
【符号の説明】
１　温熱発生体
２　帯状金属箔
３　絶縁性樹脂
４　給電用導体
４ａ、４ｂ　コネクタ部材
４ｃ　アース用導体
４ｅ　開き
５ａ、５ｂ　コネクタ部材
５ｄ　開口部
６　挟持電極
６ａ〜６ｃ　挟持電極
６ｄ　スプリング材
７　導体
７ａ、７ｂ　給電導体
７ｃ　アース用導体
７ｄ　屈曲部
８　絶縁性樹脂
９ａ〜９ｃ　接続爪
１０　床暖房用ヒーターパネル
１０ａ　均熱用のアルミニウム箔材
１０ｂ　端縁部
１１　基部
１２　Ｖ字状凹部
Ａ１　〜Ａ３　距離
Ｂ１　〜Ｂ３　深さ
【図１】
2004108737.tif 000003
【図２】
2004108737.tif 000004
【図３】
2004108737.tif 000005
【図４】
2004108737.tif 000006
【図５】
2004108737.tif 000007
【図６】
2004108737.tif 000008
【図７】
2004108737.tif 000009
【図８】
2004108737.tif 000010
【図９】
2004108737.tif 000011
【図１０】
2004108737.tif 000012
【図１１】
2004108737.tif 000013
【図１２】
2004108737.tif 000014
【図１３】
2004108737.tif 000015